(57)【要約】【課題】腕時計（１００）によって、腕時計（１００）のユーザの睡眠の質の評価に関連する情報メッセージを伝達する方法を提供すること。【解決手段】方法は、ユーザの睡眠期間中に記録された少なくとも１つの環境事象タイプの少なくとも１つの事象駆動エピソードを記述するデータを、処理ユニット（２）によって記録するステップ（１０）と、記述的データを処理することにより、ユーザの睡眠を妨害する少なくとも１つの環境事象タイプを識別するステップ（１１）と、識別された、睡眠を妨害する環境事象タイプの各々に対して、ユーザに対する睡眠の質の評価インデックスを、睡眠妨害インジケータの関数として推定するステップ（１６）と、ユーザに伝える目的で、推定された評価インデックスを含む情報メッセージを案出するステップ（１７）と、を含む。【選択図】図２
2020065929.tif 000002
【特許請求の範囲】
【請求項１】
腕時計（１００）によって、前記腕時計（１００）のユーザの睡眠の質の評価に関連する情報メッセージを伝達する方法であって、
前記ユーザの睡眠期間中に記録された少なくとも１つの環境事象タイプの少なくとも１つの事象駆動エピソードを記述するデータを、処理ユニット（２）によって記録するステップ（１０）と、
前記記述的データを処理することにより、前記ユーザの睡眠を妨害する少なくとも１つの環境事象タイプを識別するステップ（１１）と、
識別された、前記睡眠を妨害する環境事象タイプの各々に対して、前記ユーザに対する睡眠の質の評価インデックスを、睡眠妨害インジケータの関数として推定するステップ（１６）と、
前記ユーザに伝える目的で、前記推定された前記評価インデックスを含む情報メッセージを案出するステップ（１７）と、
を含む方法。
【請求項２】
前記識別するステップ（１１）は、少なくとも１つの選択基準を用いて、前記ユーザの前記睡眠期間中に記録された前記環境事象タイプの各々に関連する１つ以上の事象駆動エピソードを選択するサブステップ（１２）を含むことを特徴とする、請求項１に記載の方法。
【請求項３】
第１の選択基準において、前記環境事象タイプの各々に関連する前記事象駆動エピソードの各々の前記記述的データの少なくとも１つの環境測定値が、睡眠妨害の基準閾値と比較されることを特徴とする、請求項２に記載の方法。
【請求項４】
第２の選択基準が、前記環境事象タイプの各々に関連する前記事象駆動エピソードの各々の持続時間を、睡眠妨害の持続時間の基準閾値と比較することからなることを特徴とする、請求項２又は３に記載の方法。
【請求項５】
前記識別するステップ（１１）は、識別された、前記睡眠を妨害する環境事象タイプの各々に対して、睡眠妨害インジケータを生成するサブステップ（１４）を含むことを特徴とする、請求項１から４のいずれか一項に記載の方法。
【請求項６】
前記生成するサブステップ（１４）は、識別された、前記睡眠を妨害する環境事象タイプの各々に対して、前記睡眠妨害インジケータを、記述的フィーチャを用いて計算する段階（１５）を含み、前記記述的フィーチャは、
前記環境事象タイプに関連する、選択された前記事象駆動エピソードの前記記述的データに含まれる前記環境測定値の平均値、
前記環境事象タイプの総持続時間、
前記環境事象タイプの、選択された前記事象駆動エピソードの数、
前記環境事象タイプの選択された前記事象駆動エピソードの開始時刻及び終了時刻、
を含むことを特徴とする、請求項５に記載の方法。
【請求項７】
腕時計（１００）によって、前記腕時計（１００）のユーザの睡眠の質の評価に関連する情報メッセージを伝達するシステム（１）であって、前記システムは請求項１から６のいずれか一項に記載の方法を実装し、前記システム（１）は、互いに接続された以下の要素、すなわち、処理ユニット（２）、少なくとも１つの環境センサ（５）、並びに視覚及び／又は音声情報（３、４）を伝えるためのインタフェース、を備える、システム。
【請求項８】
請求項７に記載のシステム（１）、を含む腕時計（１００）。
【請求項９】
接続された機械式腕時計（１００）であることを特徴とする、請求項８に記載の腕時計（１００）。
【請求項１０】
プログラムコード命令を含むコンピュータプログラムであって、前記プログラムコード命令は、前記プログラムが処理ユニット（２）によって実行された場合に、請求項１から６のいずれか一項に記載の方法の前記ステップ（１０から１７）を実行する、コンピュータプログラム。
【発明の詳細な説明】
【技術分野】
【０００１】
本発明は、腕時計によって、その腕時計のユーザの睡眠の質の評価に関連する情報メッセージを伝達する方法、及びそのような方法を実装したシステムに関する。
【０００２】
本発明はまた、コンピュータプログラムと共にそのようなシステムを備える腕時計に関する。
【背景技術】
【０００３】
睡眠は、人体が自己を回復している状態、例えば、感染から自己防衛している又はホルモンを生成している状態である。この睡眠の質は、我々の精神的、道徳的、及び肉体的な健康に直接影響する。従って、そのような状況では、特に、必要であれば人の睡眠の質を改善するために、人の睡眠の質を評価できることが重要であると理解されている。
【０００４】
これを実現するために、一般に運動センサ又は生理学的センサから得られる測定データの処理を実現することにより、人の睡眠の質の評価を提供する方法が、現状技術において知られている。
【０００５】
しかし、そのような方法の大きな欠点のうちの１つは、与えられる睡眠の質の評価が多くの場合、不正確であるか又は間違っているという事実にある。その理由は、その評価は測定データから生成されるが、測定データを得ることは時には難しく、睡眠の質に関連する状態に常に直接関連するわけではないからである。
【０００６】
特に従来技術の欠点を持たない、代替的な解決策を見つける必要があると理解されている。
【発明の概要】
【発明が解決しようとする課題】
【０００７】
従って、睡眠の質の評価に関連する情報メッセージを腕時計によって伝達する、信頼性が高く実装が容易な方法を提供することが本発明の目的である。
【課題を解決するための手段】
【０００８】
この目的のため、本発明は、腕時計によって、その腕時計のユーザの睡眠の質の評価に関連する情報メッセージを伝達する方法に関し、その方法は、
ユーザの睡眠期間中に記録された少なくとも１つの環境事象タイプの少なくとも１つの事象駆動エピソードを記述するデータを、処理ユニットによって記録するステップと、
記述的データを処理することにより、ユーザの睡眠を妨害する少なくとも１つの環境事象タイプを識別するステップと、
識別された、睡眠を妨害する各環境事象タイプに対して、ユーザに対する睡眠の質の評価インデックスを、睡眠妨害インジケータの関数として推定するステップと、
ユーザに伝達する目的で、推定された評価インデックスを含む情報メッセージを案出するステップと、
を含む。
【０００９】
他の実施形態では、
識別するステップは、少なくとも１つの選択基準を用いてユーザの睡眠期間中に記録された各環境事象タイプに関連する１つ以上の事象駆動エピソードを選択するサブステップを含み、
第１の選択基準では、各環境事象タイプに関連する各事象駆動エピソードの記述的データの少なくとも１つの環境測定値が、睡眠妨害の基準閾値と比較され、
第２の選択基準が、各環境事象タイプに関連する各事象駆動エピソードの持続時間を、睡眠妨害の持続時間の基準閾値と比較することからなり、
識別するステップは、識別された、睡眠を妨害する環境事象タイプの各々に対して、睡眠妨害インジケータを生成するサブステップを含み、
生成するサブステップは、識別された、睡眠を妨害する環境事象タイプの各々に対して、睡眠妨害インジケータを、以下の記述的特徴を用いて計算する段階を含み、記述的特徴は、
この環境事象タイプに関連する、選択された事象駆動エピソードの記述的データに含まれる環境測定値の平均値と、
この環境事象タイプの総持続時間と、
この環境事象タイプの、選択された事象駆動エピソードの数と、
この環境事象タイプの選択された事象駆動エピソードの開始及び終了時刻と、を含む。
【００１０】
本発明はまた、腕時計によって、その腕時計のユーザの睡眠の質の評価に関連する情報メッセージを伝達するシステムに関し、システムはそのような方法を実装しており、システムは、互いに接続された以下の要素、すなわち、処理ユニット、少なくとも１つの環境センサ、並びに視覚及び／又は音声情報を伝えるためのインタフェース、を備える。
【００１１】
本発明はまた、そのようなシステムを備える腕時計に関する。
【００１２】
有益には、腕時計は接続された機械式腕時計である。
【００１３】
本発明はまた、プログラムコード命令を含むコンピュータプログラムに関し、プログラムコード命令は、プログラムが処理ユニットによって実行されたときに、この方法のステップを実行する。
【００１４】
他のフィーチャ及び利点が、添付の図面を参照して、非限定的な描写として与えられる以下の記述から明らかになるであろう。
【図面の簡単な説明】
【００１５】
【図１】本発明の一実施形態による、腕時計のユーザの睡眠の質の評価に関連する情報メッセージを伝達するためのシステムを備える腕時計を概略的に示す。
【図２】本発明の一実施形態による、この情報メッセージを伝達するための方法に関連する論理図である。
【発明を実施するための形態】
【００１６】
図１はシステム１を含む腕時計１００を表し、システム１は、腕時計１００のユーザの睡眠の質の評価に関連する情報メッセージを腕時計１００によって伝達する。このシステム１は腕時計１００内に含まれ、腕時計１００は好ましくは、ハイブリッドディスプレイを有する、接続された機械式腕時計１００である。より具体的には、システム１は、非限定的及び／又は非網羅的な形態で、
物質的リソース及びソフトウェアリソース、特に、メモリ構成要素と協働する少なくとも１つのプロセッサ、を含む処理ユニット２、
第１のアナログ表示構成要素並びに第２のデジタル及び／又は文字数字表示構成要素が設けられたハイブリッド表示ダイヤルなどの、視覚情報３を伝達するためのインタフェース、
音声情報４を伝達するための、ラウドスピーカなどのインタフェース、
通信インタフェース、
少なくとも１つの環境センサ５、
少なくとも１つの挙動センサ６、及び、
少なくとも１つの生理学的センサ７、
を含む。
【００１７】
このシステム１では、処理ユニット２は、とりわけ、視覚及び音声情報伝達インタフェースに、並びに環境センサ５、挙動センサ６、及び生理学的センサ７に接続されている。
【００１８】
この腕時計１００内のシステム１は、好ましくは、ユーザの睡眠期間中に記録された少なくとも１つの環境事象タイプのみから、ユーザの睡眠の質を評価することが可能である。記録された事象タイプの各々が、その事象に特有であってユーザの睡眠期間中に発生する少なくとも１つの事象駆動エピソードを用いて定量化される。各事象駆動エピソードは、特に環境パラメータの１つ以上の測定値を含む記述的データによって特徴付けられる。この環境パラメータは、腕時計１００及びそのユーザが位置している環境の特性に関連する量である。そのようなパラメータは、非限定的及び／又は非網羅的な形態で、温度、相対湿度、周囲雑音レベル、気圧、照明、動き、空気の質などに関連する。
【００１９】
例として、パラメータが「雑音レベル」に対応する場合、事象駆動エピソードが以下の記述的データによって定義される。この雑音レベルの１つ以上の測定値が、少なくとも１つの好適な環境センサ５によって決定され、処理ユニット２に伝達され、
処理ユニット２によって計算される事象駆動エピソードの持続時間は、例えば１０分であり、
開始時刻１０ａｍ及び終了時刻１０：１０が処理ユニット２により決定される。
【００２０】
この過程では、この環境事象は「雑音レベル」に関連し、そのとき、このタイプの事象については、睡眠期間中に、異なる記述的データを有するいくつかのエピソードを推定できると理解される。引き続き、以下に説明する方法に従って、この環境事象タイプがユーザの睡眠を妨害すると考えられる場合は、そのとき、その事象が「雑音有害物」になる。
【００２１】
これに関連して、環境センサ５が、特に、これら環境パラメータを測定するように適合されている。以下で分かるように、他の挙動センサ６及び生理学的センサ７が測定値の取得に関与し、それが、ユーザの睡眠の質を評価するために、任意選択的に処理ユニット２によって使用されてもよい。挙動センサ６は、腕時計１００のユーザの全てのタイプの挙動特性、例えば睡眠期間中にユーザによってなされる動き又はジェスチャなどを測定できる。この目的のため、これら挙動センサ６は１つ以上の慣性センサを備えてもよく、これは、小型で多軸の加速度計、ジャイロスコープ、又はレートジャイロのタイプであり、例えばＭＥＭＳ技術で作製された多軸センサであって、角速度、並びに加速度計及び／又はジャイロスコープを合わせたいくつかの軸線に沿った線形加速度を検出できる。生理学的センサ７に関しては、ユーザの生体の働きに関連するパラメータ、例えば、脈拍、血液酸素飽和度、皮膚インピーダンス、呼吸数、呼吸性不整脈、皮膚温、発汗速度、血液酸素飽和度、又は血流量などを測定できる。
【００２２】
腕時計１００のこのシステム１は、図２に示す情報メッセージを腕時計１００によって伝達するための方法を実装できる。
【００２３】
この方法は、ユーザの睡眠期間中に記録された少なくとも１つの環境事象タイプの少なくとも１つの事象駆動エピソードを記述するデータを、処理ユニット２によって記録するステップ１０を含む。ユーザの睡眠期間の開始の検出から、この期間の終了までの、このステップ１０の間に、少なくとも１つの環境事象タイプの１つ以上の事象駆動エピソードの記述的データが、腕時計１００の処理ユニット２のメモリ要素内にアーカイブされる。各事象駆動エピソードの、この記述的データは、非限定的及び非網羅的な形態で、
対応するセンサ５によって決定され、処理ユニット２に伝達される、１つ以上の環境測定値と、
処理ユニット２によって計算される事象駆動エピソードの持続時間と、
処理ユニット２によって決定される、エピソードの開始刻及び終了時刻と、
を含む。
【００２４】
エピソードの生成は、対応する環境事象タイプに関連する環境パラメータの変動を処理ユニット２により識別することにリンクしていることに留意されたい。
【００２５】
これに関連して、睡眠期間の開始は、照度計などの環境センサ５による照度測定から決定できる。従って、例えば、センサ５によって伝達された照度測定値が、所定の時間にわたって光強度の基準閾値を下回った場合など、処理ユニット２によって低い照明状態が識別されると直ぐに、睡眠期間の開始を判定できる。代替として、睡眠期間の開始は、ユーザについての生理学的測定データ及び／又は挙動測定データから検出できる。例えば、挙動センサ６、例えば慣性センサが、ユーザが所定の時間にわたって動かないことを示す場合に、処理ユニット２は睡眠期間の開始時間を決定できる。変形形態では、処理ユニット２は、時刻、及びユーザの概日リズムの推定、などの追加情報を使用できる。例えば、睡眠開始時刻は、ユーザが眠りにつくと予想される特定の時刻の間でのみ検出できる。同様に、例えば、センサ５によって伝達された照度測定値が、所定の時間にわたって光強度の基準閾値を上回った場合など、処理ユニット２によって強い照明状態がこのように判定されると直ぐに、照度測定値から睡眠期間の終了を判定できる。代替として、例えば、ユーザが取る可能性のある動作に関連する挙動測定データが、ユーザが起床したことを示す場合には、処理ユニット２は睡眠期間の終了を推定できる。
【００２６】
方法は、次に、記述的データを処理することにより、ユーザの睡眠を妨害する少なくとも１つの環境事象タイプを識別するステップ１１を含む。この目的のため、このステップ１１は、少なくとも１つの選択基準を用いてユーザの睡眠期間中に記録された各環境事象タイプに関連する１つ以上の事象駆動エピソードを選択するサブステップ１２を含む。第１の選択基準に従って、各環境事象タイプに関連する各事象駆動エピソードの記述的データの少なくとも１つの環境測定値が、睡眠妨害の基準閾値と比較される。前述の少なくとも１つの測定値が睡眠妨害の基準閾値よりも大きい場合、選択条件が第２の選択基準の検証にリンクされている場合は、エピソードが選択又は事前選択され得る。この第２の選択基準は、各環境事象タイプに関連する各事象駆動エピソードの持続時間を、睡眠妨害の持続時間の基準閾値と比較することからなる。これに関連して、エピソードの持続時間が、睡眠妨害の持続時間の基準閾値よりも大きい場合には、そのエピソードが選択される。
【００２７】
次に、識別ステップ１１は、腕時計１００のユーザの睡眠を妨害する１つ以上の環境事象タイプを、選択された事象駆動エピソードから検出するサブステップ１３を含む。このサブステップは、所与の環境事象タイプにとって、この事象が検出されるためには、この事象のエピソードの数が基準閾値よりも大きくなければならないことを規定し得る。
【００２８】
引き続き、識別するステップ１１は、識別／検出された、睡眠を妨害する環境事象タイプの各々に対して、睡眠妨害インジケータを生成するサブステップ１４を含む。このサブステップ１４は、識別された、睡眠を妨害する環境事象タイプの各々に対して、睡眠妨害インジケータを、記述的特徴から計算する段階１５を含む。識別された、睡眠を妨害する環境事象タイプの各々の、これら記述的特徴は、
選択された事象駆動エピソードの記述的データに含まれる環境測定値の平均値、
選択された事象駆動エピソードの持続時間の合計に等しい、腕時計１００のユーザの睡眠期間中の、睡眠を妨害するこの環境事象タイプの総持続時間、
選択された事象駆動エピソードの数、
睡眠サイクルの妨害へのその作用／影響を評価することを可能にする、選択された事象駆動エピソードの開始及び終了時刻、
である。実際には、ユーザの睡眠期間は、特に夜の早期における、体が肉体的に回復するＮＲＥＭ睡眠段階の一連のサイクル、及び、ユーザが夢を見るか又は神経の緊張を解放する時間に対応するＲＥＭ睡眠の一連のサイクルを含む。
【００２９】
睡眠妨害インジケータの計算は、これら記述的特徴の１つ以上に従って実施されることに留意されたい。
【００３０】
更に、この識別するステップ１１は、睡眠期間が終了すると直ぐに、又は記録するステップ１０と同時に、すなわち睡眠期間の開始時に実行することができる。
【００３１】
次に、方法は、識別された、睡眠を妨害する環境事象タイプの各々に対して、睡眠の質の評価インデックスを、睡眠妨害インジケータの関数として推定するステップ１６を含む。このステップ１６では、処理ユニット２は、生成するサブステップ１４で取得した睡眠妨害インジケータの平均値を計算することにより、睡眠の質の評価インデックスを決定する。この計算の間、インジケータが関連する睡眠妨害環境事象タイプの性質に応じて、いくつかのインジケータに計数が与えられ得る。実際、あるタイプの事象が他の事象よりも、睡眠妨害により大きな影響をもたらす場合がある。
【００３２】
任意選択的に、事象駆動エピソード中に生成された生理学的及び／又は挙動測定データもまた、このインデックスの計算において考慮に入れることができることに留意されたい。
【００３３】
次に、方法は、ユーザに伝える目的で、推定された評価インデックスを含む情報メッセージを案出するステップ１７を含む。そのような情報メッセージは、インデックスを含む２次元又は３次元図形表示を含む音声メッセージ又は視覚メッセージであってもよい。睡眠の質の評価インデックスに加えて、このメッセージは、睡眠の質を改善するために、腕時計１００のユーザが取り入れるべき態度（又は行動）に関連する提言を含んでもよく、提言はこのインデックス値の、従って評価された睡眠の質のレベルの関数として定義される。
【００３４】
本方法はまた、ダイヤルの第２の表示構成要素内に表示されるポップアップメニュー内で、例えば、良好な夜／睡眠、休息した夜／睡眠、困難な夜／睡眠などの要素を含む基準のリストから、睡眠を格付けする基準をユーザが選択することにより、ユーザが自分の睡眠評価をシェアできるステップを提供できることに留意されたい。
【００３５】
そのとき、このステップは、腕時計のユーザによるこの評価を、処理ユニットによって処理された場合に、現状の方法及びシステムによる睡眠評価の精度を改善できるデータの形態でのアーカイブ化を提供する。
【００３６】
本発明はまた、プログラムコード命令を含むコンピュータプログラムに関し、プログラムコード命令は、プログラムが腕時計１００の処理ユニット２によって実行された場合に、本方法のステップ１０から１７を実行する。
【符号の説明】
【００３７】
１  システム
２  処理ユニット
３  視覚情報
４  音声情報
５  環境センサ
６  挙動センサ
７  生理学的センサ
１０  記録するステップ
１１  識別するステップ
１２  選択するサブステップ
１３  検出するサブステップ
１４  生成するサブステップ
１５  計算する段階
１６  推定するステップ
１７  設計するステップ
１００  腕時計
【図１】
2020065929.tif 000003
【図２】
2020065929.tif 000004
【外国語明細書】
2020065929000001.pdf